(57)【要約】【課題】筐体を開いた直後のバックライトの輝度を確保し、視認性の向上を図ることが可能な端末装置の提供。【解決手段】  情報を表示するディスプレイ１と、ディスプレイのバックライト２の輝度を制御するバックライト制御部３と、周囲の明るさを検出する照度センサ４と、筐体の開閉を検出する開閉検出部５と、所定の輝度値および照度に対する輝度補正値が格納されるメモリ６と、ディスプレイ、バックライト制御部、照度センサ、開閉検出部およびメモリを制御する制御部７とを含み、制御部は開閉検出部より筐体の閉状態から開状態への変化を検出すると、メモリから所定の輝度値を読出し、バックライト制御部にその輝度値でディスプレイのバックライトを点灯させ、その後照度センサで検出される周囲の明るさおよびメモリに格納される照度に対する輝度補正値に従いバックライト制御部にディスプレイのバックライトの輝度を変化させる。【選択図】      図１
2010014827.tif 000002
【特許請求の範囲】
【請求項１】
情報を表示するディスプレイと、
前記ディスプレイのバックライトの輝度を制御するバックライト制御手段と、
周囲の明るさを検出する照度センサと、
筐体の開閉を検出する開閉検出手段と、
所定の輝度値および照度に対する輝度補正値が格納されるメモリと、
前記ディスプレイ、バックライト制御手段、照度センサ、開閉検出手段およびメモリを制御する制御手段とを含み、
前記制御手段は前記開閉検出手段より筐体の閉状態から開状態への変化を検出すると、前記メモリから所定の輝度値を読出し、前記バックライト制御手段にその輝度値で前記ディスプレイのバックライトを点灯させ、その後前記照度センサで検出される周囲の明るさおよび前記メモリに格納される照度に対する輝度補正値に従い前記バックライト制御手段に前記ディスプレイのバックライトの輝度を変化させることを特徴とする端末装置。
【請求項２】
前記メモリに格納される所定の輝度値は前記ディスプレイの視認性を考慮して決定されることを特徴とする請求項１記載の端末装置。
【請求項３】
前記メモリに格納される所定の輝度値は複数個用意され、前記制御手段は複数の輝度値のうちのいずれかを選択することを特徴とする請求項１または２記載の端末装置。
【請求項４】
前記制御手段は前記所定の輝度値から周囲の明るさに応じた輝度値までの変化を所定時間ごとに段階的に行うことを特徴とする請求項１から３いずれかに記載の端末装置。
【請求項５】
前記制御手段は前記所定の輝度値から周囲の明るさに応じた輝度値までの変化を所定の輝度ステップで段階的に行うことを特徴とする請求項１から３いずれかに記載の端末装置。
【請求項６】
前記照度センサは前記筐体を閉じた状態で外部に露出する面に設けられることを特徴とする請求項１から５いずれかに記載の端末装置。
【請求項７】
情報を表示するディスプレイと、
前記ディスプレイのバックライトの輝度を制御するバックライト制御手段と、
周囲の明るさを検出する照度センサと、
筐体の開閉を検出する開閉検出手段と、
所定の輝度値および照度に対する輝度補正値が格納されるメモリと、
前記ディスプレイ、バックライト制御手段、照度センサ、開閉検出手段およびメモリを制御する制御手段とを含む端末装置におけるディスプレイのバックライト点灯方法であって、
前記制御手段は前記開閉検出手段より筐体の閉状態から開状態への変化を検出すると、前記メモリから所定の輝度値を読出し、前記バックライト制御手段にその輝度値で前記ディスプレイのバックライトを点灯させ、その後前記照度センサで検出される周囲の明るさおよび前記メモリに格納される照度に対する輝度補正値に従い前記バックライト制御手段に前記ディスプレイのバックライトの輝度を変化させる輝度制御ステップを含むことを特徴とするディスプレイのバックライト点灯方法。
【請求項８】
前記メモリに格納される所定の輝度値は前記ディスプレイの視認性を考慮して決定されることを特徴とする請求項７記載のディスプレイのバックライト点灯方法。
【請求項９】
前記メモリに格納される所定の輝度値は複数個用意され、前記制御手段は複数の輝度値のうちのいずれかを選択することを特徴とする請求項７または８記載のディスプレイのバックライト点灯方法。
【請求項１０】
前記制御手段は前記所定の輝度値から周囲の明るさに応じた輝度値までの変化を所定時間ごとに段階的に行うことを特徴とする請求項７から９いずれかに記載のディスプレイのバックライト点灯方法。
【請求項１１】
前記制御手段は前記所定の輝度値から周囲の明るさに応じた輝度値までの変化を所定の輝度ステップで段階的に行うことを特徴とする請求項７から９いずれかに記載のディスプレイのバックライト点灯方法。
【請求項１２】
前記照度センサは前記筐体を閉じた状態で外部に露出する面に設けられることを特徴とする請求項７から１１いずれかに記載のディスプレイのバックライト点灯方法。
【請求項１３】
情報を表示するディスプレイと、
前記ディスプレイのバックライトの輝度を制御するバックライト制御手段と、
周囲の明るさを検出する照度センサと、
筐体の開閉を検出する開閉検出手段と、
所定の輝度値および照度に対する輝度補正値が格納されるメモリと、
前記ディスプレイ、バックライト制御手段、照度センサ、開閉検出手段およびメモリを制御する制御手段とを含む端末装置におけるディスプレイのバックライト点灯方法のプログラムであって、
前記制御手段に、前記開閉検出手段より筐体の閉状態から開状態への変化を検出すると、前記メモリから所定の輝度値を読出し、前記バックライト制御手段にその輝度値で前記ディスプレイのバックライトを点灯させ、その後前記照度センサで検出される周囲の明るさおよび前記メモリに格納される照度に対する輝度補正値に従い前記バックライト制御手段に前記ディスプレイのバックライトの輝度を変化させる輝度制御ステップを実行させるためのプログラム。
【発明の詳細な説明】
【技術分野】
【０００１】
本発明は、端末装置およびそのディスプレイのバックライト点灯方法に関し、特にバックライト輝度の調整が可能な端末装置およびそのディスプレイのバックライト点灯方法に関する。
【背景技術】
【０００２】
本発明に関連する端末装置、一例として携帯端末装置では、周囲の明るさを正面ディスプレイもしくはキー操作部の周囲に実装する照度センサで検出し、その明るさに応じて正面ディスプレイのバックライト輝度を調整する制御を行っている（たとえば、特許文献１参照）。
【０００３】
照度測定値が比較的大きい場合（比較的明るい場合）は、視認性を確保するためにバックライト輝度を上げ、逆に照度測定値が比較的小さい場合（比較的暗い場合）は、バックライト輝度を下げても視認性を損なわないことから、バックライト輝度を下げる。これにより、視認性を確保しつつ省電力が可能となる。
【０００４】
また、バックライト輝度の変更にあたっては、輝度を段階的に変化させ、ユーザへの違和感を軽減させている。また、折り畳み式携帯端末装置の場合で、筐体が閉状態から開状態となった場合は、バックライトがオフの状態から照度測定値に基づいた輝度値に段階的に変化させる。
【０００５】
図７は筐体が閉状態から開状態となった場合のバックライトの輝度の変化の一例を示す図である。なお、同図において縦軸は照度を、横軸は時間をそれぞれ示している。関連する折り畳み式携帯端末装置の筐体開時のバックライトの輝度の変化は、照度測定値が比較的小さい場合（比較的暗い場合）には同図の“７ａ．関連する装置の輝度遷移”に示す特性となり、照度測定値が比較的大きい場合（比較的明るい場合）には同図の“７ｂ．関連する装置の輝度遷移”に示す特性となる。
【０００６】
また、上記特許文献１に記載の発明ではバックライトの明るさを一度増加させた後、徐々に所定の明るさにバックライトを調整する技術が開示されている。
【０００７】
また、筐体のリア側に照度センサを配置する携帯端末装置が特許文献２に記載されている。
【０００８】
【特許文献１】特開２００１−２６８２２０号公報
【特許文献２】特開２００４−１４０４７２号公報
【発明の開示】
【発明が解決しようとする課題】
【０００９】
関連する折り畳み式携帯端末装置の筐体が閉状態から開状態となった場合、筐体開時のバックライト点灯までの遅延を考慮し開検出直後の照度測定値を用いるが、筐体を開いた直後の照度測定値は照度センサの実装位置の都合上、十分に受光できず、比較的明るい環境下でも小さい値になっていることが多い。
【００１０】
比較的明るい環境下で視認性確保に必要な輝度までの変化時間を見ると、照度測定値が比較的小さい場合（図７の“７ａ”の特性）は時間ｔ３であり、照度測定値が比較的大きい場合（図７の“７ｂ”の特性）は時間ｔ２である（ｔ２＜ｔ３）。したがって、照度測定値が比較的小さい場合は照度測定値が比較的大きい場合に比べ、視認性確保に必要な輝度までの変化時間が非常に長くなっている。そのため、比較的明るい環境下で筐体を開いた場合、ユーザにとっては視認性が悪い状態が存在するという課題がある。
【００１１】
一方、特許文献１に開示の発明は、周囲の明るさに応じてバックライトの明るさを制御する技術を開示しているものの、筐体を開いた直後の照度測定値については全く考慮されていない。したがって、この発明はその目的が本発明と全く相違し、よって目的達成のための構成および効果も本発明と全く相違する別発明である。
【００１２】
また、特許文献２に開示の発明は、単に筐体のリア側に照度センサが配置されることを述べているに過ぎず、特許文献１に開示の発明と同様に、筐体を開いた直後の照度測定値については全く考慮されていない別発明である。
【００１３】
そこで本発明の目的は、筐体を開いた直後のバックライトの輝度を確保し、視認性の向上を図ることが可能な端末装置およびそのディスプレイのバックライト点灯方法を提供することにある。
【課題を解決するための手段】
【００１４】
前記課題を解決するために、本発明による端末装置は、情報を表示するディスプレイと、前記ディスプレイのバックライトの輝度を制御するバックライト制御手段と、周囲の明るさを検出する照度センサと、筐体の開閉を検出する開閉検出手段と、所定の輝度値および照度に対する輝度補正値が格納されるメモリと、前記ディスプレイ、バックライト制御手段、照度センサ、開閉検出手段およびメモリを制御する制御手段とを含み、前記制御手段は前記開閉検出手段より筐体の閉状態から開状態への変化を検出すると、前記メモリから所定の輝度値を読出し、前記バックライト制御手段にその輝度値で前記ディスプレイのバックライトを点灯させ、その後前記照度センサで検出される周囲の明るさおよび前記メモリに格納される照度に対する輝度補正値に従い前記バックライト制御手段に前記ディスプレイのバックライトの輝度を変化させることを特徴とする。
【００１５】
また、本発明によるディスプレイのバックライト点灯方法は、情報を表示するディスプレイと、前記ディスプレイのバックライトの輝度を制御するバックライト制御手段と、周囲の明るさを検出する照度センサと、筐体の開閉を検出する開閉検出手段と、所定の輝度値および照度に対する輝度補正値が格納されるメモリと、前記ディスプレイ、バックライト制御手段、照度センサ、開閉検出手段およびメモリを制御する制御手段とを含む端末装置におけるディスプレイのバックライト点灯方法であって、前記制御手段は前記開閉検出手段より筐体の閉状態から開状態への変化を検出すると、前記メモリから所定の輝度値を読出し、前記バックライト制御手段にその輝度値で前記ディスプレイのバックライトを点灯させ、その後前記照度センサで検出される周囲の明るさおよび前記メモリに格納される照度に対する輝度補正値に従い前記バックライト制御手段に前記ディスプレイのバックライトの輝度を変化させる輝度制御ステップを含むことを特徴とする。
【００１６】
また、本発明によるプログラムは、情報を表示するディスプレイと、前記ディスプレイのバックライトの輝度を制御するバックライト制御手段と、周囲の明るさを検出する照度センサと、筐体の開閉を検出する開閉検出手段と、所定の輝度値および照度に対する輝度補正値が格納されるメモリと、前記ディスプレイ、バックライト制御手段、照度センサ、開閉検出手段およびメモリを制御する制御手段とを含む端末装置におけるディスプレイのバックライト点灯方法のプログラムであって、前記制御手段に、前記開閉検出手段より筐体の閉状態から開状態への変化を検出すると、前記メモリから所定の輝度値を読出し、前記バックライト制御手段にその輝度値で前記ディスプレイのバックライトを点灯させ、その後前記照度センサで検出される周囲の明るさおよび前記メモリに格納される照度に対する輝度補正値に従い前記バックライト制御手段に前記ディスプレイのバックライトの輝度を変化させる輝度制御ステップを実行させるためのプログラムであることを特徴とする。
【発明の効果】
【００１７】
本発明によれば、筐体を開いた直後のバックライトの輝度を確保し、視認性の向上を図ることが可能となる。
【発明を実施するための最良の形態】
【００１８】
まず、本発明の実施形態の説明に入る前に、本発明の動作原理について説明しておく。図１は本発明に係る端末装置の動作原理を説明するための端末装置の一例の構成図である。同図を参照すると、本発明に係る端末装置は情報を表示するディスプレイ１と、ディスプレイ１のバックライト２の輝度を制御するバックライト制御部３とを含んでいる。
【００１９】
さらに、本発明に係る端末装置は周囲の明るさを検出する照度センサ４と、筐体の開閉を検出する開閉検出部５と、所定の輝度値および照度に対する輝度補正値が格納されるメモリ６とを含んでいる。さらに、本発明に係る端末装置はディスプレイ１、バックライト制御部３、照度センサ４、開閉検出部５およびメモリ６を制御する制御部７を含んでいる。
【００２０】
そして、制御部７は開閉検出部５より筐体の閉状態から開状態への変化を検出すると、メモリ６から所定の輝度値を詠み出し、バックライト制御部３にその輝度値でディスプレイ１のバックライト２を点灯させる。そして、その後照度センサ４で検出される周囲の明るさおよびメモリ６に格納される照度に対する輝度補正値に従いバックライト制御部３にディスプレイ１のバックライト２の輝度を変化させる。
【００２１】
このように本発明では、筐体を開いた直後に所定の輝度値でバックライト２を点灯させ、その後周囲の明るさおよび照度に対する輝度補正値に従いバックライト２の輝度を変化させるため、筐体を開いた直後から継続して視認性の向上を図ることが可能となる。
【００２２】
以下、本発明の実施形態について説明する。まず、第１実施形態について説明する。図２は本発明に係る端末装置の第１実施形態の構成図である。なお、同図において図１と同様の構成部分には同一番号を付し、その説明を省略する。
【００２３】
本発明に係る端末装置は、一例として、折り畳み式携帯端末装置である。しかし、本発明はこれに限定されるものではなく、折り畳み式端末装置であれば、他の移動あるいは固定通信装置に本発明の適用が可能である。
【００２４】
同図を参照すると、本発明に係る端末装置は、アンテナ８と、無線部９と、スピーカ１１と、マイク１２と、音声コーデック部１３と、キー操作部１０と、ディスプレイ１とを含んでいる。さらに、本発明に係る端末装置は、バックライト２と、バックライト制御部３と、照度センサ４と、開閉検出部５と、プログラム格納部１４と、メモリ６と、制御部７とを含んでいる。
【００２５】
制御部７は無線部９、音声コーデック部１３、メモリ６、プログラム格納部１４、開閉検出部５、照度センサ４、バックライト制御部３、ディスプレイ１およびキー操作部１０を制御する。
【００２６】
本発明に係る端末装置は、制御部７の制御により無線部９およびアンテナ８を介して図示しない基地局と通信を行う。無線部９はアンテナ８にて信号を受信し、信号周波数を選択して周波数変換を行い、これを増幅および復調して受信データを制御部７へ出力する。
【００２７】
制御部７は受信データを処理して音声信号を音声コーデック部１３に出力し、音声コーデック部１３は音声信号をアナログ信号に変換する。そして、スピーカ１１は音声を出力する。マイク１２より入力された音声は、音声コーデック部１３にてＰＣＭ（ｐｕｌｓｅ  ｃｏｄｅ  ｍｏｄｕｒａｔｉｏｎ）信号にＡ／Ｄ（ａｎａｌｏｇ  ｔｏ  ｄｉｇｉｔａｌ）変換され、制御部７がその信号を送信データに処理し、無線部９が送信データを変調し、規定の周波数の搬送波として増幅し、アンテナ８から信号が送信される。
【００２８】
制御部７はメモリ６への情報書き込みおよび読み出し、ならびにディスプレイ１の表示制御、キー操作部１０の操作検出処理、照度センサ４からの測定値の読み出し、開閉検出部５からの状態変化検出処理を行う。照度センサ４は周囲の明るさを検出する。開閉検出部５は端末装置の筐体の開閉を検出する。
【００２９】
また、制御部７は開閉検出部５で閉状態から開状態への変化を検出した場合は、メモリ６より所定の輝度値を読み出し、その数値をバックライト制御部３に設定する。バックライト制御部３は設定された数値に従い、バックライト２を点灯させる。プログラム格納部１４には後述するディスプレイのバックライト点灯方法のプログラムが格納されている。制御部７はプログラム格納部１４からそのプログラムを読み出し、各部位を制御する。
【００３０】
図３および図４は本発明に係る端末装置の一例の外観図である。各図を参照すると本発明に係る端末装置は折り畳み式の筐体を有する端末装置であり、照度センサ４が実装される位置を示している。図３では照度センサ４がキー操作部１０の周辺（同図では、一例としてキー操作部１０の左上端）に、図４では照度センサ４がディスプレイ１の周辺（同図では、一例としてディスプレイ１の左上端）にそれぞれ実装される場合を示している。
【００３１】
図５はメモリ６に格納される所定の輝度値および照度に対する輝度補正値の一例を示す図である。同図（Ａ）は所定の輝度値の一例で１個の輝度値がメモリ６に格納されることを示している。この輝度値は端末装置の筐体が閉状態から開状態に変化した時に制御部７によって参照される。
【００３２】
また、同図（Ｂ）は複数の照度測定値と、各々の照度測定値に対応する輝度補正値とが輝度補正テーブルとしてメモリ６に格納されることを示している。このテーブルは筐体が閉状態から開状態に変化した後に制御部７によって参照される。なお、所定の輝度値および輝度補正テーブルは実験等により視認性を考慮して決定した値を設定しておくことが望ましい。
【００３３】
次に、第１実施形態の動作について説明する。図６は第１実施形態の動作を示すフローチャートである。まず、開閉検出部５は端末装置が閉状態から開状態に変化した場合に、その旨を制御部７に通知する（ステップＳ１）。制御部７はその通知を受け、メモリ６から所定の輝度値を読み出し（ステップＳ２）、その輝度値をバックライト制御部３に設定する（ステップＳ３）。バックライト制御部３は設定された輝度値に従い、バックライト２を点灯させる（ステップＳ４）。
【００３４】
次に、制御部７は照度センサ４より測定値を読み出し（ステップＳ５）、その測定値に対応する輝度補正値をメモリ６から読み出す（ステップＳ６）。次に、制御部７は現在設定されている輝度値にこの輝度補正値を加算し、最終輝度値を求め、その最終輝度値をバックライト制御部３に設定する（ステップＳ７）。
【００３５】
そして、バックライト制御部３は設定された輝度値に従い、バックライト２の輝度を変化させる（ステップＳ８）。上記ステップＳ５〜Ｓ８までの制御は、周囲の明るさに応じた輝度調整制御フローである。
【００３６】
次に、図７に戻り、本発明における輝度制御について説明する。本発明では、端末装置の筐体の閉状態から開状態への変化を検出すると、所定の輝度値（同図の“ｂ２”に示す輝度値）をバックライト制御部３に設定し、これによりバックライト２が点灯する。
【００３７】
この所定の輝度値（同図の“ｂ２”に示す輝度値）は、ディスプレイ１の視認性を考慮して決定することが望ましい。本実施形態では、一例として、比較的明るい環境で視認性が比較的悪い輝度（同図の“ｂ１”に示す輝度値）よりも所定の輝度値（同図の“ｂ２”に示す輝度値）のほうが大きくなるようにしている（すなわち、ｂ１＜ｂ２）。
【００３８】
次に、照度センサ４からの測定値に応じた輝度調整制御を実施し、たとえば照度測定値が比較的大きい場合（比較的明るい場合）は、輝度値（同図の“ｂ４”  に示す輝度値）に向かって徐々に輝度を上げ点灯する（同図の“７ｄ”に示す特性参照）。また、照度測定値が比較的小さい場合（比較的暗い場合）は、輝度値（同図の“ｂ３”に示す輝度値）に向かって徐々に輝度を上げ点灯する（同図の“７ｃ”に示す特性参照）。
【００３９】
以上説明したように、本発明の第１実施形態によれば、周囲の明るさに応じてディスプレイ１のバックライト輝度を調整する機能を有する端末装置に関して、端末装置の筐体の閉状態から開状態を検出した場合、所定の輝度値でバックライト２を点灯し、その後周囲の明るさに応じた輝度値まで段階的に輝度を変化させることで、端末装置の筐体を開いた直後のバックライト輝度を確保し、視認性の向上を図ることが可能となる。
【００４０】
次に、本発明の第２実施形態について説明する。図８は本発明の第２実施形態における所定輝度値の設定例を示す図である。前述の第１実施形態では所定の輝度値は１つ（図７の“ｂ２”参照）しか用意していない。
【００４１】
一方、本実施形態では図８に示すようにユーザがメニュー操作で指定可能な明るさ設定分だけ（一例として、周囲が比較的“明るい”場合、“普通”の場合、および比較的“暗い”場合の３種）、所定の輝度値（一例として、“明るい”に対し“輝度値Ａ”、“普通”に対し“輝度値Ｂ”、および“暗い”に対し“輝度値Ｃ”の３種）を用意する。したがって、これらの明るさ設定値とこれに対応する輝度値の情報がメモリ６に格納される。
【００４２】
以上説明したように、本発明の第２実施形態によれば、ユーザの使用状況に応じた、かつ視認性を確保したバックライトの輝度設定が可能となる。
【００４３】
次に、本発明の第３実施形態について説明する。図９は本発明の第３実施形態における輝度と時間の関係を示すグラフである。前述の第１実施形態では、所定の輝度値から周囲の明るさに応じた輝度値までの変化が直線的になる場合を示したが（図７の“７ｃ”および“７ｄ”の特性参照）、本実施形態では図９に示すように所定の輝度値から周囲の明るさに応じた輝度値までの変化を所定遷移時間で遷移するように制御する。したがって、これらの所定遷移時間情報がメモリ６に格納される。
【００４４】
以上説明したように、本発明の第３実施形態によれば、一定輝度値の持続時間を制御する構成であるため、所定の輝度値から周囲の明るさに応じた輝度設定値への変化が比較的大きい場合でもユーザの違和感を軽減させることが可能となる。
【００４５】
次に、本発明の第４実施形態について説明する。図１０は本発明の第４実施形態における輝度と時間の関係を示すグラフである。前述の第１実施形態では、所定の輝度値から周囲の明るさに応じた輝度値までの変化が直線的になる場合を示したが（図７の“７ｃ”および“７ｄ”の特性参照）、本実施形態では図１０に示すように所定の輝度値から周囲の明るさに応じた輝度値まで、輝度値が所定輝度ステップで変化するように制御する。したがって、これらの所定輝度ステップ情報がメモリ６に格納される。
【００４６】
以上説明したように、本発明の第４実施形態によれば、輝度の変化レベルを制御する構成であるため、所定の輝度値から周囲の明るさに応じた輝度設定値への変化が比較的大きい場合でもユーザの違和感を軽減させることが可能となる。
【００４７】
次に、本発明の第５実施形態について説明する。図１１は本発明の第５実施形態における端末装置一例の外観図である。同図を参照すると、前述の第１実施形態と異なり、本実施形態の照度センサ４はディスプレイ１の反対側の面、すなわち筐体を閉じた状態で外部に露出する面、に実装されている。このような場所に照度センサ４を実装した場合は、常時周囲の明るさを検出することが可能となる。
【００４８】
しかし、端末装置の筐体が閉じられている状況下で、周囲の明るさに応じたディスプレイ１の輝度調整を行う必要はないため、その状況では省電力を意図し、照度センサ４は動作停止されることが多い。
【００４９】
筐体が閉状態から開状態に変化したことが検出されると、筐体を開いた時のバックライト点灯までの遅延を考慮して、関連技術では直前に測定した照度測定値を用いるため、使用される照度測定値は照度センサの動作停止前に測定した値となる。
【００５０】
そのため、比較的暗い環境下で筐体を閉状態にし、比較的明るい環境下で筐体を開いた場合は、照度測定値が比較的小さい場合の輝度値に向かって徐々に輝度を上げることから、ユーザにとって視認性が悪い状態が存在する。
【００５１】
そこで、本実施形態では、照度センサ４がディスプレイ１の反対側の面に実装された場合においても、前述の第１〜第４実施形態と同様に筐体の閉状態から開状態への変化を検出した場合に、ディスプレイ１の視認性が確保できる所定の輝度値でバックライトを点灯し、その後周囲の明るさに応じた輝度値まで段階的に輝度を変化させる。
【００５２】
以上説明したように、本発明の第５実施形態によれば、照度センサ４がディスプレイ１の反対側の面、すなわち筐体を閉じた状態で外部に露出する面、に実装された場合でも、筐体の開直後のバックライト輝度を確保し視認性の向上を図ることが可能となる。
【００５３】
次に、本発明の第６実施形態について説明する。第６実施形態はディスプレイのバックライト点灯方法のプログラムに関するものである。図２を参照すると、本発明に係る端末装置にはプログラム格納部１４が設けられている。このプログラム格納部１４には図６にフローチャートで示すディスプレイのバックライト点灯方法の手順を示すプログラムが格納されている。
【００５４】
制御部７はプログラム格納部１４からこのプログラムを読み出し、そのプログラムにしたがって開閉検出部５、メモリ６、バックライト制御部３および照度センサ４を制御する。その制御内容については既に述べたのでここでの説明は省略する。
【００５５】
以上説明したように、本発明の第６実施形態によれば、筐体を開いた直後のバックライトの輝度を確保し、視認性の向上を図ることが可能なプログラムが得られる。
【図面の簡単な説明】
【００５６】
【図１】本発明に係る端末装置の動作原理を説明するための端末装置の一例の構成図である。
【図２】本発明に係る端末装置の第１実施形態の構成図である。
【図３】本発明に係る端末装置の一例の外観図である。
【図４】本発明に係る端末装置の一例の外観図である。
【図５】メモリ６に格納される所定の輝度値および照度に対する輝度補正値の一例を示す図である。
【図６】第１実施形態の動作を示すフローチャートである。
【図７】筐体が閉状態から開状態となった場合のバックライトの輝度の変化の一例を示す図である。
【図８】本発明の第２実施形態における所定輝度値の設定例を示す図である。
【図９】本発明の第３実施形態における輝度と時間の関係を示すグラフである。
【図１０】本発明の第４実施形態における輝度と時間の関係を示すグラフである。
【図１１】本発明の第５実施形態における端末装置一例の外観図である。
【符号の説明】
【００５７】
１  ディスプレイ
２  バックライト
３  バックライト制御部
４  照度センサ
５  開閉検出部
６  メモリ
７  制御部
８  アンテナ
９  無線部
１０  キー操作部
１１  スピーカ
１２  マイク
１３  音声コーデック部
１４  プログラム格納部
【図１】
2010014827.tif 000003
【図２】
2010014827.tif 000004
【図３】
2010014827.tif 000005
【図４】
2010014827.tif 000006
【図５】
2010014827.tif 000007
【図６】
2010014827.tif 000008
【図７】
2010014827.tif 000009
【図８】
2010014827.tif 000010
【図９】
2010014827.tif 000011
【図１０】
2010014827.tif 000012
【図１１】
2010014827.tif 000013